(57)【要約】  使用者にとって使い勝手がよく、優れた美容効果を体感させることができる美容器具を提供する。美容器具（１）は、本体（１２）と、複数の支持軸と、４つの回転体（１７）、（１８）、（１９）及び（２０）と、複数の主電極（１７０）、（１８０）、（１９０）及び（２００）と、給電装置と、補助電極（１２６ｂ）と、制御装置とを有している。支持軸は本体（１２）から延設されている。回転体（１７）〜（２０）は支持軸に回転可能に支持されている。主電極（１７０）〜（２００）は回転体（１７）〜（２０）の表面に設けられている。給電装置は電源からの電力を主電極（１７０）〜（２００）に供給するように構成されている。補助電極（１２６ｂ）は給電装置に接続されている。制御装置は、主電極（１７０）〜（２００）、補助電極（１２６ｂ）、給電装置及び人体を含む閉回路にイオン導入電流またはイオン導出電流を流すことができるように構成されている。
2016068199.tif 000002
【特許請求の範囲】
【請求項１】
本体と、
該本体から延設された複数の支持軸と、
該複数の支持軸に回転可能に支持された回転体と、
該複数の回転体のうち少なくとも１個の回転体の表面に設けられた主電極と、
電源からの電力を上記主電極に供給する給電装置と、
該給電装置に接続された補助電極と、
上記給電装置から供給する電力を制御する制御装置とを有しており、
該制御装置は、上記主電極及び上記補助電極を肌に接触させた状態において、上記主電極、上記補助電極、上記給電装置及び人体を含む閉回路にイオン導入電流またはイオン導出電流を流すことができるように構成されている、美容器具。
【請求項２】
上記電源及び上記給電装置は、上記本体の内部に設けられている、請求項１に記載の美容器具。
【請求項３】
上記電源は蓄電池である、請求項２に記載の美容器具。
【請求項４】
上記補助電極は、上記本体の表面に設けられている、請求項１〜３のいずれか１項に記載の美容器具。
【請求項５】
上記補助電極は、上記本体とは別体に設けられており、ケーブルを介して上記給電装置に接続されている、請求項１〜３のいずれか１項に記載の美容器具。
【請求項６】
上記回転体は略球状を呈している、請求項１〜５のいずれか１項に記載の美容器具。
【請求項７】
上記複数の支持軸は、先端へ向かうほど隣り合う上記支持軸の間隔が拡開する向きに配置されている、請求項１〜６のいずれか１項に記載の美容器具。
【請求項８】
上記複数の支持軸は、上記本体が肌に沿って配置された状態において、先端へ向かうほど肌に近づく向きに配置されている、請求項１〜７のいずれか１項に記載の美容器具。
【請求項９】
上記複数の支持軸は、上記本体から放射状に延びている、請求項８に記載の美容器具。
【請求項１０】
上記回転体は、その回転軸に対して傾斜した傾斜軸線に垂直な複数の仮想面により上記回転体を仮想的に切断したときの、個々の切断面における輪郭に相当する断面輪郭線を、表面に有している、請求項１〜９のいずれか１項に記載の美容器具。
【請求項１１】
上記回転体の表面は、環状に形成されると共に上記傾斜軸線の軸線方向に配列された複数の帯状面を有しており、上記断面輪郭線は、隣り合う上記帯状面の境界線として視認可能に形成されている、請求項１０に記載の美容器具。
【請求項１２】
上記美容器具は２つ以上の上記主電極を有しており、上記制御装置は、上記複数の主電極の電位を個別に制御できるように構成されている、請求項１〜１１のいずれか１項に記載の美容器具。
【発明の詳細な説明】
【技術分野】
【０００１】
本発明は、肌の美容のために用いる美容器具に関する。
【背景技術】
【０００２】
肌の美容のための方法として、イオン導入やイオン導出が提案されている。イオン導入は、電荷を帯びた美容成分を肌に塗布した後、美容成分の電荷に対応した極性を有する微弱な電流を流し、美容成分を肌内部に向けて移動させる手法である。イオン導入を行うことにより、美容成分の肌への浸透を促進させ、美容成分をより効果的に作用させることができる。また、イオン導出は、肌に微弱な電流を流すことにより、電流の極性に対応した電荷を有する汚れや老廃物等を肌表面に向けて移動させる手法である。イオン導出を行うことにより、肌内部の汚れや老廃物等を効果的に除去することができる。【０００３】
特許文献１には、ループ状の枠の中心部にローラを差し渡してヘッド部を形成した美顔器が開示されている。この美顔器は、ローラを電極として用いることにより、イオン導入やイオン導出を行うことができるように構成されている。また、イオン導入やイオン導出による効果に加えて、ローラによるマッサージ効果を期待することもできる。
【先行技術文献】
【特許文献】
【０００４】
【特許文献１】特許第５０７３４４１号公報
【発明の概要】
【発明が解決しようとする課題】
【０００５】
しかしながら、特許文献１の美顔器は、ヘッド部を肌に当接させた状態において枠の存在が妨げとなるため、ローラと肌との接触面積を広くすることには限界がある。それ故、ローラによるマッサージ効果を体感しにくいという問題がある。【０００６】
また、上記の配置を採用すると、例えば顔等の比較的起伏の大きい形状を有する部分にローラを接触させてイオン導入やイオン導出をしようとする際に、美容器具を肌に強く押し付けたり、手で肌を引き伸ばしながらローラを当接させたりするなどの種々の工夫が必要なことがある。そのため、使用者の使い勝手の観点からは、未だ改善の余地がある。【０００７】
本発明は、かかる背景に鑑みてなされたもので、使い勝手がよく、優れた美容効果を体感させることができる美容器具を提供することにある。
【課題を解決するための手段】
【０００８】
本発明の一の態様は、本体と、
該本体から延設された複数の支持軸と、
該複数の支持軸に回転可能に支持された回転体と、
該複数の回転体のうち少なくとも１個の回転体の表面に設けられた主電極と、
電源からの電力を上記主電極に供給する給電装置と、
該給電装置に接続された補助電極と、
上記給電装置から供給する電力を制御する制御装置とを有しており、
該制御装置は、上記主電極及び上記補助電極を肌に接触させた状態において、上記主電極、上記補助電極、上記給電装置及び人体を含む閉回路にイオン導入電流またはイオン導出電流を流すことができるように構成されていることを特徴とする美容器具にある。
【発明の効果】
【０００９】
上記美容器具は、本体と、該本体から延設された複数の支持軸と、該複数の支持軸に回転可能に支持された回転体とを有している。上記美容器具は、上記回転体が上記本体の外方に配置されているため、上記回転体を肌に当接させる際に上記本体が妨げになりにくい。それ故、上記回転体と肌との接触面積を広くしやすくなり、上記回転体によるマッサージ効果をより体感しやすい。【００１０】
また、上記回転体が上記本体の外方に配置されていることにより、例えば周囲よりも隆起した形状を呈する部位に上記回転体を当接させる際に、上記本体が当該隆起部分の周辺に干渉しにくくなる。その結果、上記回転体を隆起部分の基部まで容易に当接させることができ、かかる部分においてもイオン導入やイオン導出を容易に行うことができる。【００１１】
以上のように、上記美容器具は、使用者にとって使い勝手がよく、優れた美容効果を体感させることができる。
【図面の簡単な説明】
【００１２】
【図１】実施例１における美容器具の斜視図。
【図２】図１の美容器具を下面側から見た図。
【図３】実施例１における美容器具の分解斜視図。
【図４】実施例１における、本体上側部および上面カバーを取り外した状態での図２におけるIV−IV線位置断面図。
【図５】実施例１における回転体の分解斜視図。
【図６】実施例１における回転体の断面。
【図７】実施例１における美容器具の側面図。
【図８】図７におけるVIII-VIII線位置断面図。
【図９】実施例１における回路構成を示すブロック図。
【図１０】実施例１における美容器具の制御態様を表すフロー図。
【図１１】実施例１における回転体の回転態様を表す側面図。
【図１２】実施例１の変形例における回転体の一部拡大図。
【図１３】実施例２における回路構成を示すブロック図。
【図１４】実施例２における美容器具の制御態様を表すフロー図。
【図１５】実施例３における美容器具の側面図。
【図１６】実施例４における美容器具及び置き台の斜視図。
【図１７】実施例４における美容器具の本体の斜視図。
【図１８】実施例４における美容器具の本体の下面図。
【図１９】実施例４における回路構成を示すブロック図。
【図２０】実施例４における美容器具の使用状態の一例を示す説明図。
【発明を実施するための形態】
【００１３】
上記美容器具において、肌に流れるイオン導入電流及びイオン導出電流の波形としては、電流および電圧が一定となる直流電流や、パルス電流、正弦波交流電流等の様々な波形を採用することができる。例えばパルス電流を採用する場合には、波高を０．０５ｍＡ以上の範囲から適宜設定し、周波数を１〜１０ｋＨｚの範囲から適宜設定することが好ましい。なお、肌に過度の刺激が加わることを防止する観点から、パルス電流の波高の上限は２．５ｍＡとする。
【００１４】
上記電源及び給電装置は、上記本体の外部に設けられていてもよく、上記本体の内部に設けられていてもよい。電源及び給電装置が本体の外部に設けられている場合には、イオン導入電流及びイオン導出電流を流すための電力を確実に供給することができる。また、この場合には、電源等を本体の内部に設ける場合に比べて配置スペースの制約が小さいため、給電装置に含まれる電気回路等の設計を自由に行うことができる。
【００１５】
一方、電源及び給電装置が本体の内部に設けられている場合には、電源から美容器具に電力を供給するためのケーブル等が不要となるため、美容器具の使い勝手をより向上させることができる。
【００１６】
上記補助電極は、上記本体の表面に設けられていてもよい。この場合には、美容器具の構成が簡素になるため、美容器具の使い勝手をより向上させることができる。
【００１７】
また、上記補助電極は、上記本体とは別体に設けられており、ケーブルを介して上記給電装置に接続されていてもよい。この場合には、上記美容器具を用いて肌へのイオン導入やイオン導出を行う施術者と、イオン導入やイオン導出を受ける被施術者とが異なる場合にもイオン導入やイオン導出を行うことができる。かかる構成を有する美容器具は、例えばエステティックサロン等において好適に用いることができる。
【００１８】
上記回転体は略球状を呈していてもよい。この場合には、肌に当接させた回転体をスムーズに回転させることができるため、美容器具の操作性及び使用感を向上させることができる。また、この場合には、美容器具を肌に沿って移動させることにより、隣り合う回転体の間に肌が挟みこまれ、より高いマッサージ効果を体感させることができる。なお、本明細書において、略球状には、球状、楕円球状、概略して球状及び楕円球状と認められる形状又はこれらを組み合わせた形状等が含まれる。これらの形状の表面に若干の凹凸が設けられていてもよい。
【００１９】
上記複数の支持軸は、先端へ向かうほど隣り合う上記支持軸の間隔が拡開する向きに配置されていることが好ましい。この場合には、マッサージ効果やイオン導入等の効果を得たい部分に上記回転体を押し当てることにより、隣り合う回転体の間に当該部分がある程度挟み込まれた状態を自然に実現することができる。更に、かかる状態において、美容器具を肌に沿って移動させることにより、隣り合う回転体の間に肌が挟みこまれ、より高いマッサージ効果を体感させることができる。また、美容器具を肌に沿って移動させると、隣り合う回転体の間に挟みこまれた肌から、古い角質や汚れなどを効果的に除去することができ、特に、洗顔の後に落とし残したファンデーションや化粧料等の毛穴に詰まった汚れを効果的に除去することができる。更に、この場合には、回転体と肌との接触面積を容易に広くすることができる。これらの結果、イオン導入による肌への美容成分の浸透や、イオン導出による汚れの除去をより効率的に行うことができる。
【００２０】
また、上記の状態においては、隣り合う回転体の回転軸を含む平面が肌に対して傾斜するようにして美容器具を使用することにより、隣り合う回転体に挟まれた肌を、手で摘み上げるように変形させることができる。その結果、より高いマッサージ効果を体感させることができる。更に、手で摘み上げるように肌を変形させることにより、回転体の間に挟みこまれた肌が引き伸ばされ易くなる。イオン導入を行う場合には、肌が引き伸ばされることにより回転体と肌との接触面積が広くなるとともに肌表面の角質層が引き伸ばされて薄くなるため、美容成分の浸透をより促進させることができる。また、イオン導出を行う場合には、肌が引き伸ばされることにより毛穴が開き易くなるため、肌内部の汚れ等をより効率的に除去することができる。以上の結果、イオン導入及びイオン導出をより効率的に行うことができ、イオン導入及びイオン導出の効果をより高めることができる。
【００２１】
上記複数の支持軸は、上記本体が肌に沿って配置された状態において、先端へ向かうほど肌に近づく向きに配置されていることがより好ましい。この場合には、本体が肌に沿うようにして使用者が本体を把持することにより、本体と肌との間に回転体を配置することができる。これにより、美容器具の使い勝手をより向上させることができる。
【００２２】
上記の場合において、上記複数の支持軸は、上記本体から放射状に延びていることが更に好ましい。即ち、複数の支持軸は、上記本体が肌に沿って配置された状態において、先端へ向かうほど肌に近づくとともに本体から外方に広がる向きに延設されていることが更に好ましい。この場合には、本体が肌に沿うようにして使用者が本体を把持することにより、隣り合う回転体の回転軸を含む平面が肌に対して傾斜する状態を容易に実現することができる。それ故、美容器具の使い勝手を更に向上させることができると共に、マッサージ効果、イオン導入及びイオン導出の効果をさらに高めることができる。
【００２３】
上記回転体は、その回転軸に対して傾斜した傾斜軸線に垂直な複数の仮想面により上記回転体を仮想的に切断したときの、個々の切断面における輪郭に相当する断面輪郭線を、表面に有していてもよい。この場合には、回転体を回転させると、断面輪郭線の位置が当該回転に応じて周期的に変化するため、回転体が回転していることを容易に視認できる。
【００２４】
上記回転体の表面は、環状に形成されると共に上記傾斜軸線の軸線方向に配列された複数の帯状面を有しており、上記断面輪郭線は、隣り合う上記帯状面の境界線として視認可能に形成されていてもよい。この場合には、上記断面輪郭線の効果により、回転体が回転していることを容易に視認できる。さらに、複数の帯状面が傾斜軸線の軸線方向に配列していることから、回転体の回転に応じて帯状面の向きが周期的に変化するため、一対の回転体の間における肌の摘み上げ効果や揉みほぐし効果に強弱が付与されることとなる。その結果、マッサージ効果を一層向上できるとともに、使用者が肌の摘み上げ効果や揉みほぐし効果をより感じ易くなり、優れた使用感を得ることができる。
【００２５】
上記環状に形成された帯状面は、傾斜軸線の軸線方向に隣接する他の帯状面との境界線を視認しやすいように、当該帯状面に隣接する他の帯状面と異なる形状であることが好ましい。具体的には、例えば、傾斜軸線を含む断面における当該帯状面及びこれに隣接する他の帯状面の形状を直線状とするとともに、傾斜軸線に対する両者の傾斜角度が異なるように、帯状面を構成することができる。また、傾斜軸線を含む断面における当該帯状面の形状を直線状にするとともに、これに隣接する他の帯状面の形状が回転体の外側に膨れた湾曲形状又は回転体の内側に窪んだ湾曲形状となるように、帯状面を構成することができる。また、傾斜軸線を含む断面における当該帯状面及びこれに隣接する他の帯状面の形状が回転体の内側に窪んだ湾曲形状となるように、帯状面を構成することができる。これらの場合には、当該帯状面とこれに隣接する他の帯状面の境界線（断面輪郭線）を明確に線状に形成することができる。
【００２６】
上記美容器具は２つ以上の上記主電極を有しており、上記制御装置は、上記複数の主電極の電位を個別に制御できるように構成されていてもよい。この場合には、上記美容器具は、少なくとも２つの主電極と、給電装置と、肌とを含む閉回路を形成することができる。そして、当該閉回路にパルス電流等を流すことにより、肌における主電極との接触部分及びその近傍に電気的に刺激を与えることができる。その結果、肌の血液循環が促進されるなどの美容効果を得ることが期待できる。
【実施例】
【００２７】
（実施例１）
本例の実施例に係る美容器具につき、図を用いて説明する。図１〜図８に示すように、美容器具１は、本体１２と、４本の支持軸１３、１４、１５及び１６と、４つの回転体１７、１８、１９及び２０と、４つの主電極１７０、１８０、１９０及び２００と、補助電極１２６ｂとを有している。図９に示すように、美容器具１は、給電装置３３と、制御装置３５とを有している。図２及び図６〜図８に示すように、支持軸１３〜１６は、本体１２から延設されている。回転体１７〜２０は、それぞれ支持軸１３〜１６に回転可能に支持されている。主電極１７０〜１９０は、個々の回転体１７〜２０の表面に設けられている。図９に示すように、給電装置３３は、電源としての電池３１の電力を主電極１７０〜２００に供給するように構成されている。補助電極１２６ｂは、給電装置３３に接続されている。制御装置３５は、主電極１７０〜２００及び補助電極１２６ｂを肌に接触させた状態において、主電極１７０〜２００、補助電極１２６ｂ、給電装置３３及び人体を含む閉回路にイオン導入電流またはイオン導出電流を流すことができるように構成されている。【００２８】
また、本例における制御装置３５は、４つの主電極１７０〜２００の電位を個別に制御できるように構成されている。これにより、本例の美容器具１は、主電極１７０〜２００と補助電極１２６ｂとの間に電位差を発生させ、イオン導入及びイオン導出を行うことができるよう構成されている。更に、本例の美容器具１は、主電極１７０、１８０と主電極１９０、２００との間に電位差を発生させ、主電極１７０〜２００に接触している肌及びその近傍に電気的な刺激を付与することもできるように構成されている。【００２９】
以下、美容器具１について詳述する。
図１に示すように、本体１２の両側部には、円弧凹状の把持部１２２が形成されている。そして、図３に示すように、本体１２は、本体上側部１２３及び本体下側部１２４を備える。本体上側部１２３と本体下側部１２４とは、本体上側部１２３に形成されたネジ孔１２５ａと本体下側部１２４に形成されたボス１２４ｂを介して複数のネジ１２５によって上下方向Ｚに互いに固定されている。【００３０】
本体上側部１２３及び本体下側部１２４は、ともにＡＢＳ樹脂製である。本体上側部１２３と本体下側部１２４とによって囲まれている本体１２の内部には、後述の電池３１に接続された電源回路基板３２１と、後述の給電装置３３及び制御装置３５を有する主回路基板３３１と、主回路基板３３１を固定する基板固定台３３２と、本体１２の水没を検出する水没検出部６としての水没センサ６０とが収納されている。【００３１】
図３に示すように、主回路基板３３１には、電源スイッチ３３５、切替スイッチ３３６及び複数のＬＥＤランプ３３７が実装されている。また、主回路基板３３１には、電源回路基板３２１に接続される電源ハーネス３３８と、後述の支持軸１３〜１６に接続される出力ハーネス３３９が備えられている。主回路基板３３１は、ネジ３３３によって基板固定台３３２に固定されている。基板固定台３３２は、主回路基板３３１に実装された電源スイッチ３３５、切替スイッチ３３６及びＬＥＤランプ３３７が本体上側部１２３の内側面に対向にするように、本体上側部１２３にネジ３３４によって固定されている。【００３２】
図３に示す主回路基板３３１には、電池３１からの電力を主電極１７０〜２００に供給する給電装置３３と、主電極１７０〜２００と給電装置３３とを含む閉回路に流れる微弱電流の大きさを検出する電流検出部３４と、給電装置３３を制御する制御装置３５が搭載されている。【００３３】
図９に示すように、給電装置３３は、第１給電部３３ａと、第２給電部３３ｂとの２つの給電部を有している。本例の第１給電部３３ａは、具体的にはＨブリッジ回路である。第１給電部３３ａの一方の出力は主電極１７０〜２００に接続され、他方の出力は補助電極１２６ｂに接続されている。第１給電部３３ａは、制御装置３５の制御の下で主電極１７０〜２００と補助電極１２６ｂとの間に電位差を発生させ、主電極１７０〜２００と、人体と、補助電極１２６ｂと、第１給電部３３ａとを含む閉回路に直流パルス電流を流すことができるように構成されている。第１給電部３３ａは、美容器具１を後述する正パルスモードまたは負パルスモードで動作させる際に駆動される。【００３４】
本例の第２給電部３３ｂは、具体的にはＨブリッジ回路である。第２給電部３３ｂの一方の出力は主電極１７０及び主電極１８０に接続され、他方の出力は主電極１９０及び主電極２００に接続されている。第２給電部３３ｂは、制御装置３５の制御の下で主電極１７０、１８０と主電極１９０、２００との間に電位差を発生させ、主電極１７０及び１８０と、肌と、主電極１９０及び２００と、第２給電部３３ｂとを含む閉回路に交流パルス電流を流すことができるように構成されている。第２給電部３３ｂは、美容器具１を後述する交流パルスモードで動作させる際に駆動される。【００３５】
電流検出部３４は、給電装置３３と制御装置３５とを接続する配線３４１上に設けられている。電流検出部３４は、配線３４１と電池３１の負極３１４との間に接続された電流測定抵抗３４２を有している。第１給電部３３ａまたは第２給電部３３ｂから肌に微弱電流が流れている状態においては、電流測定抵抗３４２の両端に微弱電流の大きさに応じた電位差が発生する。一方、第１給電部３３ａまたは第２給電部３３ｂから肌に微弱電流が流れていない状態においては、電流測定抵抗３４２の両端に電位差は発生しない。それ故、制御装置３５は、配線３４１を介して入力される上記電位差の大きさに基づいて、肌に微弱電流が流れているか否か、及び、肌に流れている微弱電流の大きさを検出することができる。【００３６】
また、主回路基板３３１には、電流測定抵抗３４２に発生した電位差が入力される制御装置３５が搭載されている。制御装置３５には、検出された電位差が所定値以上の場合に制御装置３５の制御のもとで給電装置３３により形成される電位差を調整する電位差調整部３５２（図９参照）が設けられている。さらに、制御装置３５には、給電装置３３の駆動を制御する駆動制御部３５３（図９参照）が設けられている。また、制御装置３５には、電源スイッチ３３５による給電装置３３の作動開始からの経過時間を計測して、一定時間（例えば１０分）経過したときに、節電のために給電装置３３からの出力を低下または供給停止させるタイマ部３５１（図９参照）が設けられている。これにより、給電装置３３が長時間作動することが抑制されて、電池３１の早期放電が防止されるようになっている。【００３７】
主回路基板３３１に設けられた電源スイッチ３３５は、後述する電源ボタン４３６（図１参照）を介して押下されることにより、給電装置３３から主電極１７０〜２００への電力の供給と停止とを切り替える機能を有している。また、切替スイッチ３３６は、後述する切替ボタン４３７（図１参照）を介して押下されることにより、主電極１７０〜２００に印加する電位差のパターンを変更し、美容器具１の動作モードを変更する機能を有している。また、美容器具１は、動作モードに応じてＬＥＤランプ３３７の点灯パターンが変更されるように構成されている。それ故、使用者は、ＬＥＤランプ３３７の点灯パターンによって選択されている動作モードを確認することができる。動作モードの詳細については、後述する。【００３８】
電源回路基板３２１は、図３に示すように、ネジ３２２によって本体下側部１２４の内側面に取り付けられている。本体下側部１２４は、本体１２の外側に開口するように凹状に形成されて電池３１を保持する電池保持部３１２を備える。なお、電池３１はボタン型の電池であって、本例では電池３１としてＣＲ２０３２型のボタン電池を採用している。電池保持部３１２には、電池３１の各電極と接触して電気的に接続される電池接続端子３１３、３１４が設けられている。電池接続端子３１３、３１４は電源回路基板３２１に接続されており、電源回路基板３２１に電池３１の電力が供給される。本体下側部１２４には、電池保持部３１２を覆う蓋３１１は着脱可能に設けられている。本体下側部１２４と蓋３１１との間には、Ｏリング３１１ａが介在しており、本体下側部１２４と蓋３１１との間がシールされている。【００３９】
図２に示すように、本体下側部１２４には本体１２の水没を検出して水没検出信号を出力する水没検出部６としての水没センサ６０が設けられている。水没センサ６０は、後述する本体１２と回転体１９、２０（主電極１９０、２００）との接続部１３０ｂの近傍に位置している。水没センサ６０は、図２、図３に示すように、一対の水没検出電極６０ａ、６０ｂを備えている。水没センサ６０は、図３に示すように、Ｏリング６２が取り付けられた状態で本体下側部１２４に設けられた貫通孔からなる筒状の取付孔６１に挿通されている。そして、Ｏリング６２によって、取付孔６１の壁面と水没センサ６０との間がシールされている。水没センサ６０は、固定板６４に形成されたスリット６４ａに嵌め込まれている。そして、固定板６４はネジ６５によって本体下側部１２４の内側面に取り付けられる。これにより、水没センサ６０は、固定板６４を介して本体下側部１２４に取り付けられている。水没センサ６０はセンサハーネス６３を介して主回路基板３３１に電気的に接続されている。尚、水没センサ６０は、本体１２と回転体１７、１８（主電極１７０、１８０）との接続部１３０ａの近傍に位置しても良い。また、接続部１３０ａ及び接続部１３０ｂ双方の近傍に設置する等、水没センサ６０を複数設けることも可能である。この場合には、いずれか１つの水没センサ６０が水没を検知した場合に水没と判定させるようにしても良いし、複数の水没センサ６０のうち、所定の数の水没センサ６０が水没を検知した場合に水没と判定させるようにしても良い。【００４０】
一対の水没検出電極６０ａ、６０ｂは、図４に示すように、後述の下面カバー１２８のセンサ孔１２８ｂを介して本体１２に表出して互いに離れて配設されている。そして、水没センサ６０は、該一対の水没検出電極６０ａ、６０ｂ間の電気抵抗が所定値よりも低下することにより本体１２の水没を検出する。すなわち、美容器具１は、図９に示すように、本体１２の水没を検出する水没検出部６として水没センサ６０を備えている。【００４１】
尚、水没センサ６０を本体１２ではなく、回転体１７〜２０に配設するようにしても構わない。回転体１７〜２０に水没センサ６０を配設する事で、主電極１７０〜２００の水没を検出する事ができる。美容器具１は、導電性のジェルを肌に塗布し、肌に対する導電性を高めた状態で使用される事がある。この場合、一対の水没検出電極６０ａ、６０ｂが肌に触れてしまうと、導電性ジェルの影響により水没検出電極６０ａ、６０ｂ間の電気抵抗が所定値よりも低下し、水没を誤検出する可能性がある。よって、回転体１７〜２０に水没センサ６０を配設する場合には、使用者の肌と接しない箇所に取り付けるようにするのが好ましい。水没センサ６０を、本体１２、回転体１７〜２０の双方に配設するようにしても勿論構わない。【００４２】
図３に示すように、本体上側部１２３には、電源スイッチ３３５及び切替スイッチ３３６に対向する位置に貫通孔３３５ａ、３３６ａが形成されているとともに、ＬＥＤランプ３３７に対向する位置にスリット３３７ａが形成されている。そして、本体上側部１２３の上面には、貫通孔３３５ａ、３３６ａを介して電源スイッチ３３５及び切替スイッチ３３６を押圧可能なように、電源ボタン４３６及び切替ボタン４３７が配設されているとともに、スリット３３７ａを覆うように表示パネル５１６が配設されている。表示パネル５１６は透光性樹脂からなり、表示パネル５１６の内側に配設されたＬＥＤランプ３３７の光が外部に透過される。これにより、給電装置３３の出力電圧や発振回路の動作の切替状態を表示する表示部５２（図１、図９参照）が形成されている。【００４３】
さらに、本体上側部１２３の上面には、上面カバー１２６が取り付けられている。上面カバー１２６はＡＢＳ樹脂より構成されており、表面に導電性めっき膜よりなる補助電極１２６ｂを有している。上面カバー１２６と主回路基板３３１との間には、本体上側部１２３に設けられた貫通穴（図示せず）を貫通して通電ばね（図示せず）が配置されている。これにより、補助電極１２６ｂと、主回路基板３３１に設けられた給電装置３３とが上記通電ばねを介して電気的に接続されている。なお、上記貫通穴の縁部にはＯリング（図示せず）が設けられており、上記貫通穴からの水等の浸入を防止することができる構造となっている。【００４４】
上面カバー１２６には複数の係合爪（図示せず）が形成されているとともに、本体上側部１２３には当該係合爪が係合する複数の係合溝（図示せず）が形成されている。上面カバー１２６の係合爪が本体上側部１２３の係合溝に係合することにより上面カバー１２６が本体上側部１２３に固定されている。上面カバー１２６が本体上側部１２３の上面に取り付けられることにより、ネジ孔１２５ａが外部から視認されないようになっている。【００４５】
上面カバー１２６は、電源ボタン４３６、切替ボタン４３７及び表示パネル５１６に対向する位置に、電源ボタン４３６、切替ボタン４３７及び表示パネル５１６の外形に沿う切り抜き部１２６ａが形成されており、当該切り抜き部１２６ａを介して電源ボタン４３６、切替ボタン４３７及び表示パネル５１６が本体１２の上面に表出している。なお、上面カバー１２６における電源ボタン４３６、切替ボタン４３７及び表示パネル５１６の周囲には意匠パネル１２９が取り付けられている。【００４６】
本体下側部１２４の下面には、下面カバー１２８が取り付けられている。本体下側部１２４には、複数の係合溝１２４ａが形成されているとともに、下面カバー１２８には複数の係合爪１２８ａが形成されている。複数の係合爪１２８ａが係合溝１２４ａに係合されることにより、下面カバー１２８が本体下側部１２４の下面に固定されている。また、下面カバー１２８には、本体下側部１２４の取付孔６１に対向する位置にセンサ孔１２８ｂが形成されている。そして、本体下側部１２４の取付孔６１、下面カバー１２８及びセンサ孔１２８ｂを介して、水没センサ６０が本体１２の外部に露出するようになっている。これにより、水没検出部６は、主電極１７０〜２００が露出する側の面に設けられることとなっている。また、下面カバー１２８において、電池保持部３１２に対向する位置には、開口部１２８ｃが形成されており、下面カバー１２８が装着された状態で、電池保持部３１２に対して電池３１の着脱が可能となっている。【００４７】
図３に示すように、本体上側部１２３は、その外縁に沿って形成された排水溝１２３ａを有している。また、本体下側部１２４は、その外縁に沿って形成された排水溝１２４ｃを有している。排水溝１２３ａは本体上側部１２３の前端側に、排水溝１２４ｃに連通する排水孔１２３ｂを備えている。また、排水溝１２３ａは本体上側部１２３の後端側にも排水溝１２４ｃに連通する排水孔（図示略）を備えている。一方、排水溝１２４ｃは本体下側部１２４の前端側及び後端側に、下面カバー１２８側に開口した排水孔（図示略）を備える。そして、下面カバー１２８の前端側及び後端側には、本体下側部１２４の排水溝１２４ｃの排水孔を介して連通するとともに、外部に開口する排水口１２８ｅが形成されている。本体上側部１２３と上面カバー１２６との間や、本体下側部１２４と下面カバー１２８との間に入り込んだ水は、排水溝１２４ｃ、排水溝１２３ａ、排水孔１２３ｂ及び排水口１２８ｅを介して外部に排出される。このようにして、本体上側部１２３と本体下側部１２４によって囲まれている本体１２の内部への浸水の防止が図られている。また、本体上側部１２３の上面略中央には、通気孔１２３ｃが形成されている。通気孔１２３ｃは樹脂製多孔質フィルム１２３ｄによりシールされている。これにより、本体上側部１２３の内側への浸水の防止が図られている。【００４８】
図２、図３に示すように、本体１２の下面側には４個の回転体１７〜２０が備えられている。回転体１７〜２０はそれぞれ支持軸１３〜１６を介して本体１２に取り付けられている。回転体１７〜２０の表面には主電極１７０〜２００としての導電メッキが形成されている。回転体１７の取り付け態様について以下に詳述する。図５に示すように、回転体１７はローラ固定リング２１３を備えている。ローラ固定リング２１３は、円筒状の筒状部２１３ａと、筒状部２１３ａにおける一端側端部に円環状に形成されている鍔部２１３ｂと、筒状部２１３ａと鍔部２１３ｂとの接合部において外周面に形成された円環状の環状溝部２１３ｃと、を有する。環状溝部２１３ｃには、Ｏリング２１３ｄが装着されている。そして、ローラ固定リング２１３には、図６に示すように、筒状部２１３ａの軸心を貫通する貫通孔２１３ｆが形成されており、貫通孔２１３ｆに支持軸１３が挿通されている。支持軸１３の本体１２側端部近傍には拡径部１３ｃが形成されている。拡径部１３ｃは外周部の一部がカットされており、軸方向に垂直な断面形状がＤ字状となっている。【００４９】
ローラ固定リング２１３の筒状部２１３ａには、図６に示すように、オイルシール２１４が配設されている。オイルシール２１４は、筒状部２１３ａに嵌め込まれる環状の嵌め合い部２１４ａと、嵌め合い部２１４ａの内周面に環状に突出形成されるリップ部２１４ｂとを有する。嵌め合い部２１４ａの外径は筒状部２１３ａの内径に一致しており、両者の軸心を一致させた状態で嵌め合い部２１４ａが筒状部２１３ａ内に嵌入している。そして、リップ部２１４ｂが支持軸１３の外周面に摺接しているとともに、両者の間に潤滑剤としてオイルシールグリースが介在しており両者の間がシールされている。【００５０】
ローラ固定リング２１３における鍔部２１３ｂと反対側にはボール軸受型の環状のベアリング２１５が配置されている。ベアリング２１５の内径は支持軸１３の外径と一致しており、ベアリング２１５に支持軸１３が挿通されている。ベアリング２１５の外径はローラ固定リング２１３の筒状部２１３ａの内径よりも大きく、ベアリング２１５は筒状部２１３ａにおける鍔部２１３ｂの反対側の縁部に当接している。さらに、支持軸１３の中央付近には外周面に溝１３ｄが形成されており、該溝１３ｄにＥリング２１６が係合されている。ベアリング２１５は、筒状部２１３ａの縁部とＥリング２１６と支持軸１３の軸方向両側から挟まれており、抜け止めがなされている。【００５１】
図５に示すように、ベアリング２１５には、接続金具２１７が取り付けられている。接続金具２１７は、ベアリング２１５の軸方向の一端面に沿う環状の環状本体部２１７ａと、環状本体部２１７ａからベアリング２１５の外周面に沿って延びるとともにベアリング２１５の軸方向の他端面に係合する２つの係合爪２１７ｂと、環状本体部２１７ａからベアリング２１５の外周面に沿って当該外周面の軸方向中央まで延びる一つのガイド爪２１７ｃと、ベアリング２１５と反対側に突出して支持軸１３の軸心側に傾斜する接続突起２１７ｄとを有する。２つの係合爪２１７ｂと一つのガイド爪２１７ｃとは周方向において等間隔（すなわち、支持軸１３の軸心を中心に１２０°間隔）に形成されている。接続金具２１７は、ガイド爪２１７ｃをベアリング２１５の外周面に沿わせつつ、係合爪２１７ｂをベアリング２１５の外周面に沿って軸方向の他端面に係合することで環状本体部２１７ａがベアリング２１５の軸方向の一端面に沿うように配設されている。そして、図６に示すように、接続突起２１７ｄの先端部が支持軸１３の外周面に摺接している。これにより、接続金具２１７と支持軸１３とが通電可能な状態となっている。【００５２】
図５、図６に示すように、支持軸１３における本体１２（図２参照）と反対側の先端部１３ａに回転体１７が取り付けられている。回転体１７は、アウタローラ２１０と、アウタローラ２１０の内部を形成するローラコア２１１と、アウタローラ２１０の内部において支持軸１３の先端部１３ａを覆うローラキャップ２１２とを有する。図６に示すように、アウタローラ２１０は、回転体１７の外周面を形成するとともに、回転体１７の内側に筒状に内側筒状部２１０ａを形成している。内側筒状部２１０ａとローラ固定リング２１３との間にはＯリング２１３ｄが介在しており、両者の間がシールされている。アウタローラ２１０の表面には主電極１７０としての導電メッキ（本例では、クロムメッキ）が形成されている。そして、接続金具２１７の環状本体部２１７ａ、係合爪２１７ｂ及びガイド爪２１７ｃは、アウタローラ２１０の一部である内側筒状部２１０ａの表面と接している。これにより、接続金具２１７とアウタローラ２１０の導電メッキ（主電極１７０）とが通電可能な状態となっている。【００５３】
図５、図６に示すように、ローラ固定リング２１３の鍔部２１３ｂにはネジ２１３ｅを挿通する孔２１３ｇが４カ所形成されている。そして、孔２１３ｇにネジ２１３ｅが挿通されるとともに、アウタローラ２１０の内側筒状部２１０ａ内にローラ固定リング２１３の筒状部２１３ａが収納されるように、孔２１３ｇに挿通されたネジ２１３ｅを介してローラ固定リング２１３が回転体１７の内側に取り付けられる。そして、支持軸１３における本体１２（図２参照）側の基端部１３ｂには、ネジ１３ｅを介して出力ハーネス３３９が取り付けられている。支持軸１３は導電性の金属（本例では、ステンレス合金）からなっており、出力ハーネス３３９と支持軸１３とが通電可能な状態になっている。【００５４】
支持軸１３における本体１２（図２参照）側の基端部１３ｂは、図３に示すように、下面カバー１２８に設けられた貫通孔１２８ｄに挿通されるとともに、本体下側部１２４に設けられた支持孔１２４ｄに挿通されている。そして、支持孔１２４ｄは拡径部１３ｃの外形に沿うようにＤ字状の形状をなしており、支持軸１３の拡径部１３ｃが支持孔１２４ｄ内に位置している。これにより、支持軸１３の回り止めがなされている。本体１２内に位置する基端部１３ｂには、抜け止め用のＥリング２１８が取り付けられている。なお、支持軸１３と貫通孔１２８ｄの壁面との間には支持軸１３に挿通されたＯリング２１９が介在して、両者の間をシールしている。【００５５】
そして、他の回転体１８〜２０も、回転体１７と同様に支持軸１４〜１６を介して本体１２に取り付けられている。これにより、図２に示すように、回転体１７、１８は、本体１２の下面の接続部１３０ａに接続されており、回転体１９、２０は、本体１２の下面の接続部１３０ｂに接続されている。また、支持軸１３〜１６は、本体１２の上部から下部に向かって先広がりの傾斜状、つまり放射状に延びる軸線上に回転体１７〜２０が位置するように配列している。【００５６】
図２に示すように、各対の支持軸１３、１４間の軸線間隔（支持軸１３、１４における本体１２と反対側の端部同士の間の距離）と支持軸１５、１６間の軸線間隔はいずれも同一のＬ１となるように構成されている。また、対間の支持軸１３、１５及び支持軸１４、１６においても、それらの軸線間隔Ｌ２が同一となるように構成されている。そして、対間の支持軸１３、１５及び支持軸１４、１６における軸線間隔Ｌ２が、各対の支持軸１３、１４及び支持軸１５、１６における軸線間隔Ｌ１よりも大きくなるように構成されている。【００５７】
図８に示すように、支持軸１３及び支持軸１４に平行な断面における支持軸１３の軸線１３１と支持軸１４の軸線１４１とのなす角αは６０°〜８０°であることが好ましく、７０°であることがより好ましい。また、図示しないが、支持軸１５及び支持軸１６に平行な断面において、支持軸１５の軸線１５１と支持軸１６の軸線１６１とのなす角も軸線１３１と軸線１４１とのなす角αと同一である。また、図７に示すように、回転体１７の中心と回転体１８の中心とが重なる方向から見て、回転体１７〜２０のすべてが接する平面Ｕに対して垂直な仮想線Ｔと支持軸１３、１４の軸線１３１、１４１とのなす角βはそれぞれ３０°である。また、回転体１９の中心と回転体２０の中心とが重なる方向から見て、仮想線Ｔと支持軸１５、１６の軸線１５１、１６１とのなす角γもそれぞれ３０°である。【００５８】
各回転体１７〜２０の径はそれぞれ、３８〜４５ｍｍとすることが好ましく、４０ｍｍとすることがより好ましい。各回転体１７〜２０の径の大きさは、すべて同じであってもよいし、その一部の径が他の径と異なっていてもよい。【００５９】
図２に示す回転体１７の外表面（主電極１７０）と回転体１８の外表面（主電極１８０）との距離（すなわち回転体１７と回転体１８との間隔）Ｍ１よりも、回転体１７の外表面（主電極１７０）と回転体１９の外表面（主電極１９０）との距離（すなわち回転体１７と回転体１９との間隔）Ｍ２の方が大きい。そして、距離Ｍ１は９ｍｍ〜１３ｍｍであることが好ましく、１１ｍｍであることがより好ましい。また、距離Ｍ２は、１４ｍｍ〜４０ｍｍであることが好ましく、３９．５ｍｍであることがより好ましい。なお、回転体１９と回転体２０との間隔は上記距離Ｍ１と同一である。また、回転体１８と回転体２０との間隔は上記距離Ｍ２と同一である。【００６０】
本例の美容器具１の使用時には、回転体１７〜２０を肌に接触させて回転させると、回転体１７〜２０により肌及び筋肉が押圧されたり摘み上げられたりして揉みほぐされる。また、美容器具１は、電源ボタン４３６を操作することにより、本体１２内に搭載された電池３１からの電力によって給電装置３３が作動し、給電装置３３を介して主電極１７０〜２００に電力が供給される。【００６１】
更に、美容器具１は、切替ボタン４３７を操作することにより、動作モードを切り替えて主電極１７０〜２００に印加する電位差の波形を変更することができる。具体的には、本例の美容器具１は、正パルスモード、負パルスモード及び交流パルスモードの３種の動作モードを有している。正パルスモードは、４つの主電極１７０〜２００と補助電極１２６ｂとの間に、主電極１７０〜２００が高電位となるように直流パルス電圧を連続して印加する動作モードである。負パルスモードは、４つの主電極１７０〜２００と補助電極１２６ｂとの間に、主電極１７０〜２００が低電位となるように直流パルス電圧を連続して印加する動作モードである。また、交流パルスモードは、主電極１７０、１８０と主電極１９０、２００との間に交流パルス電圧を連続して印加するモードである。【００６２】
正パルスモード及び負パルスモードは、イオン導入またはイオン導出を行う際に用いられる。イオン導入は、電荷を帯びた美容成分を肌に塗布した後、美容成分の電荷に対応した極性を有する微弱な電流を流し、美容成分を肌内部に向けて移動させる手法である。例えば、本例の美容器具１を用いて負電荷を有する美容成分のイオン導入を行う場合には、美容成分を予め塗布した肌に主電極１７０〜２００を当接させ、美容器具１を負パルスモードで動作させればよい。美容器具１を負パルスモードで動作させることにより、主電極１７０〜２００、補助電極１２６ｂ、給電装置３３及び人体を含む閉回路に、美容成分の肌内部への浸透を促進させるイオン導入電流を発生させることができる。【００６３】
イオン導出は、肌に微弱な電流を流すことにより、電流の極性に対応した電荷を有する汚れ等を肌表面に移動させる手法である。例えば、本例の美容器具１を用いて負電荷を有する汚れ等を肌内部から除去しようとする場合には、主電極１７０〜２００を肌に当接させ、美容器具１を正パルスモードで動作させればよい。美容器具１を正パルスモードで動作させることにより、上記閉回路に、汚れ等を肌外部へ移動させるイオン導出電流を発生させることができる。【００６４】
また、イオン導出を行う前に、電荷を帯びた洗浄成分を汚れ等に結合させることにより、電荷を帯びていない汚れ等を肌内部から除去することもできる。例えば、負電荷を有する洗浄成分を予め汚れに結合させることにより、汚れに負電荷が付与される。その後、主電極１７０〜２００を肌に当接させ、美容器具１を正パルスモードで動作させることにより、上記と同様に汚れを肌表面に移動させることができる。【００６５】
正パルスモード及び負パルスモードにおいて主電極に印加する直流パルス電圧の大きさは、上記閉回路に流れる微弱電流が０．０５ｍＡ以上となるように適宜設定することができる。上記閉回路に０．０５ｍＡ以上の微弱電流を流すことにより、イオン導入及びイオン導出の効果を十分に得ることができる。また、上記直流パルス電圧の周波数は、１Ｈｚ〜１０ｋＨｚの範囲で適宜設定することができる。【００６６】
交流パルスモードは、肌における主電極１７０〜２００との接触部分及びその近傍に電気的に刺激を与える際に用いられる。即ち、主電極１７０〜２００を肌に接触させた状態で交流パルスモードを実施することにより、主電極１７０、１８０と、肌と、主電極１９０、２００と、給電装置３３とを含む閉回路に微弱な交流パルス電流を発生させることができ、肌に電気的刺激を与えることができる。主電極１７０、１８０と、主電極１９０、２００との間に発生させる電位差は、上記閉回路に流れる微弱電流が０．１ｍＡ以上となるように適宜設定することができる。上記閉回路に０．１ｍＡ以上の微弱電流を流すことにより、肌への電気的刺激を十分に体感させることができるとともに、十分な美容効果を得ることが期待できる。【００６７】
なお、正パルスモード、負パルスモード及び交流パルスモードのいずれのモードにおいても、肌に過度の刺激が加わることを防止するため、肌に流れる微弱電流の大きさが２．５ｍＡ以下となるように電位差を制御する必要がある。【００６８】
これらの動作モードは、美容器具１を静止させた状態で実施することも可能であるが、回転体１７〜２０を肌に接触させた状態で回転させると共に上記動作モードを実施することにより、イオン導入、イオン導出または電気的刺激と回転体１７〜２０の回転による上記揉みほぐしとの協働作用により、良好な美容効果を期待することができる。【００６９】
回転体１７〜２０を肌に接触させた瞬間においては、両者の接触部分が非常に狭いため、肌に流れる微弱電流が当該狭い接触部分に集中することにより、使用者に過度の電気的刺激を与えるおそれがある。これを回避するために、回転体１７〜２０と肌とが接触したとき、すなわち、主電極１７０〜２００から肌に微弱電流が流れ、肌に所定の電流値以上の微弱電流が流れたことを制御装置３５が検出したときには、電位差調整部３５２において両者の間における微弱電流を低い値から徐々に上昇させる、いわゆるスロースタート制御を行ってもよい。【００７０】
次に、美容器具１における水没状態を検出するための制御態様について、以下に詳述する。
図１０に示すように、まず、電源スイッチ３３５をオンにする（ステップＳ１０）。その後、水没センサ６０における一対の水没検出電極６０ａ、６０ｂ（図２参照）間の電気抵抗を検出する（ステップＳ１１）。そして、水没検出部６は一対の水没検出電極６０ａ、６０ｂの電気抵抗が所定値以下であるが否かを判断する（ステップＳ１２）。水没検出部６が、当該電気抵抗が所定値以下でないと判断すると（ステップＳ１２のＮｏ）、制御装置３５（駆動制御部３５３）の制御指示に従って、給電装置３３が主電極１７０〜２００に電池３１の電力を供給する（ステップ１３）。その後、ステップＳ１１に戻る。【００７１】
ステップＳ１２において、水没検出部６が、当該電気抵抗が所定値以下であると判断すると（ステップＳ１２のＹｅｓ）、美容器具１が水没状態であると判定し（ステップＳ１４）、水没検出部６は、制御装置３５に水没検出信号を出力する（ステップＳ１５）。そして、制御装置３５は給電装置３３が主電極１７０〜２００に電力を供給しているか否かを判断する（ステップＳ１６）。給電装置３３が主電極１７０〜２００に電力を供給していないと判断した場合（ステップＳ１６のＮｏ）は、ステップＳ１１に戻る。【００７２】
ステップＳ１６において、給電装置３３が主電極１７０〜２００に電力を供給していると判断した場合（ステップＳ１６のＹｅｓ）は、制御装置３５の駆動制御部３５３は、給電装置３３に停止信号を出力する（ステップＳ１７）。そして、給電装置３３は主電極１７０〜２００への電力供給を停止する（ステップＳ１８）。その後はステップＳ１１に戻る。尚、制御装置３５が水没検出部６からの水没検出信号を受け付けた場合に、ステップＳ１６の判断処理を行わずに、駆動制御部３５３が給電装置３３に停止信号を出力するように構成しても良い。【００７３】
これにより、水没状態と判断されると、回転体１７〜２０への電力供給が停止されるように制御される。その結果、本体１２が水没した場合に主電極１７０〜２００間に電流が過剰に流れることを確実に防止することができる。尚、図１０では、ステップＳ１８の処理の後、処理をステップＳ１１に戻しているが、ステップＳ１８の処理を終了後、電源スイッチ３３５をオフにし、図１０に示す処理を終了するようにしても良い。その場合には、水没検知信号が出力されたことにより、給電装置３３から主電極１７０〜２００への電力供給が停止した後に、再度使用者が電源スイッチ３３５をオンにする操作を行わない限り、給電装置３３から主電極１７０〜２００への電力供給が再開されない。これにより、使用者が意図していない主電極１７０〜２００への電力供給の再開を好適に防ぐことができ、電池３１の早期放電が防止される。また、一定時間（例えば１分）水没状態が続いた場合に、電源スイッチ３３５をオフにするように構成する事も勿論可能である。さらには、給電装置３３から主電極１７０〜２００への電力供給が停止した後に、表示部５２の表示を、給電装置３３の動作モードの表示から、本体１２が水没したことを使用者に報知する為の表示に切り替えるようにしても良い。これにより、使用者に本体１２が水没していることを好適に報知する事が可能となる。【００７４】
本例の美容器具１は、以上の構成を有することにより、本体１２が水没した場合に、水没検出部６によって当該水没が検出されて水没検出信号が出力される。そして、制御装置３５に水没検出信号が入力されることにより、駆動制御部３５３が、給電部３によって主電極１７０〜２００に印加される電圧を制御する。これにより、主電極１７０〜２００間の電気抵抗が過度に低下しても、当該主電極１７０〜２００間に過剰に電流が流れることを抑制できる。その結果、使用者が感電することや、美容器具１内の電子部品等に過剰な負荷がかかることや、大量の電力を無駄に消費することなどの不具合を未然に防止することができる。そのため、浴室などの水没のおそれがある場所で使用する際にも特段の注意を払う必要がなく、使い勝手が良い。【００７５】
また、本例では、主電極１７０〜２００とは別に水没検出部６が設けられているため、導電性のジェルなどを肌に塗布して使用した場合であっても、当該ジェルによる水没状態の誤検出が抑制されて、当該ジェルを使用する場合においても使い勝手が良い。【００７６】
本例の美容器具１に備えられる４つの主電極１７０〜２００は、導電性の回転体１７〜２０の表面に形成されている。美容器具を使用する際、使用者は、例えば本体１２の把持部１２２を把持して、各回転体１７〜２０を肌に押し当てながら、図１及び図２に示すように矢印Ｐ１（又はＰ２の方向）に、美容器具１を移動させる。このとき、先行する一対の回転体１７、１８（又は一対の回転体１９、２０）は移動方向の前方側に向かって広がっているため、先行する一対の回転体１７、１８（又は一対の回転体１９、２０）が内向きに回転して肌が押圧され、マッサージ効果が奏される。一方、後行する一対の回転体１９、２０（又は一対の回転体１７、１８）は移動方向の後方側に向かって広がっているため、後行する一対の回転体１９、２０（又は一対の回転体１７、１８）が内向きに回転して両回転体１９、２０（又は両回転体１７、１８）間において肌が摘み上げられ、マッサージ効果が奏される。つまり、本体１２の一方向（Ｐ１方向又はＰ２方向）への移動によって、肌の同じ部分に対して押圧と摘み上げとの異なったマッサージ効果が得られる。【００７７】
また、Ｑ１方向及びＱ２方向に美容器具１を移動させた場合においても、上述のＰ１方向及びＰ２方向の場合と同様に、先行する一対の回転体１７、１９（又は一対の回転体１８、２０）が内向きに回転して肌が押圧し、後行する一対の回転体１８、２０（又は一対の回転体１７、１９）が内向きに回転して肌が摘み上げられ、肌の同じ部分に対して押圧と摘み上げとの異なったマッサージ効果が得られる。【００７８】
回転体１７、１９と回転体１８、２０との軸線間隔Ｌ１は、回転体１７、１８と回転体１９、２０との軸線間隔Ｌ２よりも小さくなっている。このため、Ｐ１方向又はＰ２方向に美容器具１を移動させることにより、身体の腕や足首等の曲率が大きくて細い部位を、回転体１７、１８の間及び回転体１９、２０間のそれぞれにおいて、効果的にマッサージすることができる。【００７９】
回転体１７〜２０は球状を成している。これにより、回転体１７〜２０を肌に当接させた状態で、回転体１７〜２０をスムーズに回転させることができ、使用感に優れる。また、肌の摘み上げ効果や、揉みほぐし効果を奏することができ、マッサージ効果を一層向上できる。尚、回転体１７〜２０を楕円球状にすることや、球状と楕円球状を組み合わせた形状とすること等も勿論可能である。【００８０】
さらに、この美容器具１の使用時には、前記摘み上げ効果により、隣り合う回転体１７〜２０の間に挟まれた肌を引き伸ばすように変形させることができる。それ故、上述したように、イオン導入及びイオン導出の効果をより高めることができる。また、前記摘み上げ効果により、肌と主電極１７０〜２００との接触面積が広くなり易い。そのため、主電極１７０〜２００から肌に微弱電流を流す際に、狭い面積への電流集中を起しにくくすることができる。それ故、美容器具１は、上記微弱電流によって肌に過度の刺激が加わることを容易に回避することができ、使い勝手を向上させることができる。【００８１】
また、回転体１７、１９と回転体１８、２０との距離Ｍ１よりも、回転体１７、１８と回転体１９、２０との距離Ｍ２の方が大きい。そして、美容器具１が交流パルスモードで動作している状態においては、配置間隔の大きい回転体１７、１８の主電極１７０、１８０と回転体１９、２０の主電極１９０、２００との間に電位差が与えられる。このため、交流パルスモードにおいて、主電極１７０〜２００間の比較的広範囲の肌に電流を流すことができるので、局所的に電流が流れることなく、適度の電気的刺激を得ることができる。しかも、この給電装置３３の作動時には、電流検出部３４及び制御装置３５により肌に流れる微弱電流の大きさが検出されて、その検出された電流値が所定値以上の場合に、電位差調整部３５２により給電装置３３からの電位差が下げられる。このため、例えば肌が濡れているような電気抵抗が小さい場合においても、肌に電流が流れすぎて、強い電気的刺激が与えられるおそれはない。【００８２】
さらに、交流パルスモードにおいて、導電性材料を含む導電性ジェルを肌に塗布して、主電極１７０〜２００と肌との間に当該導電性ジェルを介在させることにより、肌に対する導電性を高めることができる。これにより、主電極１７０、１８０と主電極１９０、２００との間に電位差を確実に与えて、効果的に電気的刺激を肌に与えることができる。特に肌が乾燥状態にある場合にも、当該肌に効果的に電気的刺激を肌に与えることができる。使用される導電性ジェルの種類は特に限定されず、公知のものを使用することができる。例えば、痩身効果を奏する導電性ジェルを使用することができる。これにより、上記マッサージ効果および電気的刺激に加えて、痩身効果を奏することができる。【００８３】
本例では、水没検出部６は、本体１２に設けられている。これにより、肌に導電性のジェルを塗布して使用した場合において、当該ジェルが水没検出部６に干渉することが抑制されるため、当該ジェルによる水没状態の誤検知が一層抑制される。そのため、当該ジェルを使用した場合の使い勝手が一層向上する。【００８４】
本例では、本体１２は把持可能であるとともに、水没検出部６は本体１２において主電極１９０、２００との接続部１３０ｂの近傍に設けられている。これにより、本体１２（把持部１２２）を把持したときに手が水没検出部６に触れることを抑制できる。その結果、水没状態の誤検出を抑制できるとともに、本体１２（把持部１２２）を把持した状態で美容器具１が水没した場合においても水没状態を確実に検出できる。【００８５】
図１１（ａ）に示すように、回転体１７の表面には、支持軸１３の軸線１３１に対して傾斜した傾斜軸線１７０ａに垂直な複数の仮想面Ｋによる各断面の輪郭に相当する断面輪郭線１７１が複数形成されている。そして、隣り合う断面輪郭線１７１の間にはそれぞれ環状に形成された帯状面１７２が形成されている。各帯状面１７２は回転体１７の内側に緩やかに窪んでいる。したがって、各帯状面１７２は、傾斜軸線１７０ａの軸線方向に配列しているとともに、断面輪郭線１７１は互いに隣接する帯状面１７２における境界線として視認可能に形成されている。各帯状面１７２において、その幅（すなわち傾斜軸線１７０ａの軸線方向の長さ）は略一定となっている。【００８６】
回転体１７は軸線１３１を中心に回転可能となっている。そして、図１１（ａ）〜図１１（ｄ）に示すように、軸線１３１に垂直な方向から見たときの軸線１３１に対する傾斜軸線１７０ａの側方投影傾斜角度θは、回転体１７の回転に伴って変化するように観察される。図１１（ａ）及び図１１（ｃ）に示すように、軸線１３１にして傾斜軸線１７０ａが最も傾斜している状態における側方投影傾斜角度θは、例えば、０°より大きく４５°以下とすることができ、好ましくは５°〜２０°であり、本例では１０°である。【００８７】
また、各断面輪郭線１７１は、軸線１３１に垂直な方向から見たときに、回転体１７の回転に伴って、直線状と湾曲線状とを繰り返して観察されることとなる。具体的には、図１１（ａ）に示す状態（すなわち、側方投影傾斜角度θが最大になる状態）では、軸線１３１に対して傾斜した直線状に観察される。そして、回転体１７が回転すると、各断面輪郭線１７１は直線状から徐々に支持軸１３の基端部１３ｂ側（本体１２側）に膨らんだ湾曲線状に変化するように観察され、図１１（ｂ）に示す状態（すなわち、側方投影傾斜角度θが最大になる状態から４分の１回転した状態であって、軸線１３１と傾斜軸線１７０ａとが重なっている状態）において基端部１３ｂ側に最も膨らんだ湾曲線状に観察される。【００８８】
その後、回転体１７がさらに回転すると、各断面輪郭線１７１は湾曲線状から徐々に直線状に変化するように観察され、図１１（ｃ）に示す状態（すなわち、軸線１３１と傾斜軸線１７０ａとが重なっている状態からさらに４分の１回転した状態であって、再び側方投影傾斜角度θが最大になる状態）において軸線１３１に対して図１１（ａ）に示す傾斜方向と反対方向に傾斜した直線状に観察される。その後、回転体１７がさらに回転すると、各断面輪郭線１７１は直線状から徐々に支持軸１３の先端部１３ａ側（本体１２と反対側）に膨らんだ湾曲線状に変化するように観察され、図１１（ｄ）に示す状態（すなわち、側方投影傾斜角度θが再度最大になった状態から４分の１回転した状態であって、軸線１３１と傾斜軸線１７０ａとが重なっている状態）において先端部１３ａ側に最も膨らんだ湾曲線状に観察される。【００８９】
そして、図１１（ｄ）に示す状態から回転体１７がさらに回転すると、各断面輪郭線１７１は湾曲線状から徐々に直線状に変化するように観察され、図１１（ｄ）に示す状態から４分の１回転した状態において、上述の図１１（ａ）に示す状態となり、再度軸線１３１に対して傾斜した直線状に観察される。図２に示すように、回転体１８、１９、２０にも断面輪郭線１７１と同様の断面輪郭線１８１、１９１、２０１が形成されており、帯状面１７２と同様の断面輪郭線１８２、１９２、２０２が形成されている。回転体１７と同様の態様で回転して同様に観察される。【００９０】
このように、回転体１７〜２０の回転に伴って、断面輪郭線１７１が直線状と湾曲線状とを繰り返して観察されるため、使用者は回転体１７〜２０の回転を容易に視認することができる。さらに、回転体１７〜２０の帯状面１７２〜２０２が上述の如く形成されているため、帯状面１７２〜２０２が形成されていない場合（回転体１７〜２０が平滑な面である場合）に比べて、肌の摘み上げ効果や揉みほぐし効果を向上することができる。これに加えて、回転体１７〜２０の回転角度に応じて、回転体１７〜２０と肌との接触状態が変化することとなるため、肌の摘み上げ効果や揉みほぐし効果に若干の緩急がもたらされ、使用感の更なる向上に寄与する。【００９１】
また、本例の回転体１７の表面には、支持軸１３の軸線１３１に対して傾斜した傾斜軸線１７０ａに垂直な複数の仮想面Ｋによる各断面の輪郭に相当する断面輪郭線１７１が複数形成され、隣り合う断面輪郭線１７１の間にはそれぞれ環状に形成された帯状面１７２が形成されている。断面輪郭線１７１を軸線１３１と同方向に形成した場合と比較すると、帯状面が継続して使用者の肌と接する事となり、主電極１７０と使用者の肌との接触が点接触になってしまうことを好適に防ぐことができる。これにより、継続的に安定した電気的刺激を使用者に与えることが可能となる。【００９２】
なお、本例では、複数の帯状面１７２〜２０２を回転体１７〜２０の内側に緩やかに窪んだ形状としたが、これに替えて、図１２（ａ）〜図１２（ｄ）に示す形状とすることもできる。具体的には、図１２（ａ）に示すように、隣り合う断面輪郭線１７１の間の帯状面１７２ａを平面状に形成してもよい。当該帯状面１７２ａは、傾斜軸線１７０ａ（図１１（ａ）参照）を含む断面において直線状となっている。また、図１２（ｂ）に示すように、隣り合う断面輪郭線１７１の間の帯状面１７２ａを平面状に形成するとともに、帯状面１７２ａの隣に位置する帯状面１７２ｂを回転体１７の外側に膨らんだ形状とすることができる。また、図１２（ｃ）に示すように、隣り合う断面輪郭線１７１の間の帯状面１７２ａを平面状に形成するとともに、断面輪郭線１７１に沿って線状溝１７２ｃを形成してもよい。また、図１２（ｄ）に示すように、隣り合う断面輪郭線１７１の間の帯状面１７２ｄは緩やかな湾曲面であって、隣接する帯状面１７２ｄと互いに滑らかにつながっていることによって回転体１７全体として略球状を成しているとともに、断面輪郭線１７１に沿って回転体１７の表面に所定のインクを使用して印刷によって環状の線が形成されていることとしてもよい。【００９３】
以上のいずれの場合においても、回転体１７〜２０の回転に伴って、断面輪郭線１７１が直線状と湾曲線状とを繰り返して観察されるため、使用者は回転体１７〜２０の回転を容易に視認することができる。また、印刷により断面輪郭線１７１を形成した図１２（ｄ）に示す場合を除いて、肌の摘み上げ効果や揉みほぐし効果を向上することができるとともに、肌の摘み上げ効果や揉みほぐし効果の緩急をもたらして、使用感の更なる向上を図ることができる。【００９４】
また、上記複数の帯状面１７２〜２０２に替えて、らせん状溝を形成してもよい。また、上記複数の帯状面１７２〜２０２の内、一部の帯状面１７２〜２０２に沿って、回転体１７〜２０の形成材料と異なる材料を埋め込んでもよい。埋め込む材料としては、例えば、ゲルマニウム合金やチタン合金などを採用することができる。【００９５】
また、上記複数の帯状面１７２〜２０２を設けずに、回転体１７〜２０の表面を平滑な面にしても良い。その場合には、主電極１７０〜２００と肌を接触させやすくすることができる。ただ、複数の帯状面１７２〜２０２を形成した場合と比較すると、回転体１７〜２０の回転が分かりづらくなってしまったり、肌の摘み上げ効果が低下してしまったりする。さらには、上記複数の帯状面を回転軸の軸方向に形成するようにしても構わない。【００９６】
また、さらには、上記複数の帯状面１７２〜２０２に替えて、三角形の小平面を多数組み合わせたダイヤカットを形成してもよい。また、回転体１７〜２０の表面の一部又は全部に、微細な凹凸からなる梨地面を形成したり、円錐状や円柱状からなる微小突起を形成したりしてもよい。これらの場合には、回転体１７〜２０が平滑な面である場合に比べて、肌の摘み上げ効果や揉みほぐし効果を向上することができる。【００９７】
支持軸１３〜１６の軸線に対して少なくとも１個の回転体１７〜２０の中心軸線を偏心させることとしてもよい。この場合には、中心軸線を偏心させた回転体１７〜２０は偏心回転するため、皮膚への当接圧力に強弱をつけることができる。【００９８】
以上のごとく、本例によれば、回転体１７〜２０による肌の摘み上げ効果や揉みほぐし効果と、イオン導入、イオン導出または肌への電気的刺激との協働作用により、良好な美容効果を体感させることができるとともに、使い勝手の良い美容器具１を提供することができる。【００９９】
（実施例２）
実施例２における美容器具１は、図１３に示すように、実施例１の駆動制御部３５３（図９参照）は備えられていない。その他は実施例１と同様である。本例では、美容器具１における水没状態を検出するための制御態様は、以下のようになされる。なお、実施例１の場合と同等の構成要素については、同一の符号を付してその説明を省略する。【０１００】
まず、実施例１の場合と同様にステップＳ１０〜Ｓ１４（図１０参照）が行われる。そして、図１０のステップＳ１４において、美容器具１が水没状態であると判断された後は、図１４に示すように、水没検出部６から制御装置３５に水没検出信号が出力される（ステップＳ２５）。その後、電流検出部３４（図１３参照）によって主電極１７０〜２００間に流れる微弱電流の大きさを検出し、制御装置３５が、当該電流値が所定値以下であるか否かを判断する（ステップＳ２６）。【０１０１】
ステップＳ２６において、主電極１７０〜２００間の電流値が所定値以上であると判断した場合（ステップＳ２６のＹｅｓ）は、制御装置３５の電位差調整部３５２は給電装置３３に電位差調整信号を出力する（ステップＳ２７）。給電装置３３は電位差調整信号が入力されると、主電極１７０〜２００への給電量を低下させ、主電極１７０〜２００間の電位差が所定値以下となるように調整する（ステップＳ２８）。その後はステップＳ１１（図１０参照）に戻る。また、ステップＳ２６において、制御装置３５が、主電極１７０〜２００間の電流値が所定値未満であると判断した場合（ステップＳ２６のＮｏ）もステップＳ１１（図１０参照）に戻る。【０１０２】
これにより、水没状態と判断されると、主電極１７０〜２００間の電位差が所定値以下に調整される。その結果、本体１２が水没した場合に主電極１７０〜２００間に電流が過剰に流れることが防止される。また、本例においても、実施例１の場合と同等の作用効果を奏する。尚、主電極１７０〜２００間の電流値の所定値（第１の所定値）、及び、主電極１７０〜２００間の電位差の所定値（第２の所定値）は任意の値に設定する事が可能である。例えば、第１の所定値を理論上考えられないような小さな値に、第２の所定値を０Ｖに設定した場合には、実施例１と同様に、水没と判定されると、給電装置３３から主電極１７０〜２００への給電が停止されることになる。尚、実施例１と同様、水没状態が一定時間（例えば１分）継続した場合に電源スイッチ３３５をオフにするように構成する事も勿論可能である。これにより、電池３１の早期放電が防止される。【０１０３】
（実施例３）
本例は、多数の三角形よりなる多面体状の表面を有する回転体１７ａ、１８ａ、１９ａ及び２０ａを備えた美容器具１ａの例である。図１５に示すように、本例の美容器具１ａは、断面輪郭線１７１〜２０１及び帯状面１７２〜２０２を有する回転体１７〜２０に替えて、回転体１７ａ〜２０ａを有している。回転体１７ａ〜２０ａは略球状を呈しており、表面に多数の三角形状の小平面を有している。また、回転体１７ａ〜２０ａの表面には、主電極１７０〜２００が設けられている。その他は実施例１と同様である。なお、図１５において用いた符号のうち、実施例１において用いた符号と同一のものは、特に説明のない限り、実施例１と同様の構成要素等を表す。【０１０４】
本例のように、回転体１７ａ〜２０ａが断面輪郭線１７１〜２０１及び帯状面１７２〜２０２を備えていない場合であっても、回転体１７ａ〜２０ａの直径、回転体間の距離Ｍ１及びＭ２、支持軸の軸線間隔Ｌ１及びＬ２、支持軸のなす角α、β、γ等を実施例１と同様の範囲にすることにより、隣り合う回転体の間に肌を摘み上げる効果を得ることができる。【０１０５】
（実施例４）
本例は、補助電極１２６ｂが本体１２０とは別体に設けられている美容器具１００の例である。図１６に示すように、本例の美容器具１００は、本体１２０と、補助電極１２６ｂを有するアース部１２１とを有している。アース部１２１は、本体１２０とは別体に構成されている。そして、補助電極１２６ｂはケーブル１２６ｃを介して給電装置３３（図１９参照）に接続されている。なお、以下において、実施例１において用いた符号と同一の符号を付した構成要素等は、特に説明のない限り実施例１と同等の構成要素である。【０１０６】
図１７〜図１８に示すように、本例の本体１２０は略棒状を呈しており、長手方向Ｘの中央部は把持可能に形成された把持部１２０ａを成している。本体１２０の一端側Ｘ１の端部は枝分かれした分枝部１２０ｂ、１２０ｃを有している。また、本体１２０の他端側Ｘ２の端部からは、アース部１２１につながるケーブル１２６ｃが延設されている。なお、図１７においては、便宜上ケーブル１２６ｃの記載を省略している。【０１０７】
図１７に示すように、美容器具１００は、表面に主電極１７０、１８０を備えた２つの回転体１７、１８を有している。回転体１７、１８は、それぞれ分枝部１２０ｂ、１２０ｃに設けられている。回転体１７、１８は本体１２０の厚さ方向Ｙのうちの下面側Ｙ１に放射状に広がるように延設された支持軸（図示略）に回転可能に支持されている。【０１０８】
図には示さないが、本体１２０の内部には、主回路基板３３１及び電源回路基板３２１が配置されている。主回路基板３３１は、給電装置３３、電流検出部３４及び制御装置３５を搭載している。また、本例の主回路基板３３１には、電源スイッチ３３５及び切替スイッチ３３６に替えて操作スイッチ３３６ｃ（図１９参照）が実装されている。本例の美容器具１００は、操作スイッチ３３６ｃが押下される度に、正パルスモード、負パルスモード、交流パルスモード、パルスを発生しない停止状態の順に動作モードを順次切り替えることができるように構成されている。なお、操作スイッチ３３６ｃの押下は、把持部１２０ａの上面側Ｙ２に配置された操作ボタン４３８（図１７参照）を介して行うことができる。【０１０９】
図１９に示すように、本例の美容器具１００は、第１給電部３３ａの一方の出力が主電極１７０、１８０に接続され、他方の出力がケーブル１２６ｃを介して補助電極１２６ｂに接続されている。第１給電部３３ａは、制御装置３５の制御の下で主電極１７０、１８０と補助電極１２６ｂとの間に電位差を発生させ、主電極１７０及び１８０と、人体と、補助電極１２６ｂと、ケーブル１２６ｃと、第１給電部３３ａとを含む閉回路に直流パルス電流を流すことができるように構成されている。【０１１０】
本例の第２給電部３３ｂは、第２給電部３３ｂの一方の出力が主電極１７０に接続され、他方の出力が主電極１８０に接続されている。第２給電部３３ｂは、制御装置３５の制御の下で主電極１７０と主電極１８０との間に電位差を発生させ、主電極１７０と、肌と、主電極１８０と、第２給電部３３ｂとを含む閉回路に交流パルス電流を流すことができるように構成されている。【０１１１】
また、本体１２０は、ボタン電池（電池３１）に替えて、充電可能な蓄電池３１ａを内蔵している。蓄電池３１ａへの充電は、美容器具１００を置き台１０１（図１６参照）に載置している間に実施される。即ち、図１６及び図１８に示すように、把持部１２０ａは、蓄電池３１ａと電気的に接続された一対の受電接点１２０ｄを下面側Ｙ１に有している。また、図１６に示すように、置き台１０１は、受電接点１２０ｄに相対する位置に一対の送電接点１０１ａを有しており、送電接点１０１ａと受電接点１２０ｄとが接触した状態において蓄電池３１ａへの充電を行うことができるよう構成されている。【０１１２】
また、図１８に示すように、本体１２０の下面側Ｙ１であって、分枝部１２０ｂ、１２０ｃの間には、水没検出部６としての水没センサ６０が設けられている。水没センサ６０の構成は実施例１の場合と同様であり、水没状態における制御態様も実施例１の場合と同様である。尚、水没センサ６０を回転体１７、１８に配設するようにしても良いし、本体１２０、回転体１７、１８の双方に配設するようにしても良い。【０１１３】
本例の美容器具１００は、補助電極１２６ｂを本体１２０とは別体に設けたことにより、例えば図２０に示すように、肌へのイオン導入やイオン導出を行う施術者Ｏと、イオン導入やイオン導出を受ける被施術者Ｐとが異なる場合にもイオン導入やイオン導出を行うことができる。即ち、図２０に示すように、被施術者Ｐは、施術を受けている間、アース部１２１に設けられた補助電極１２６ｂを把持する。そして、施術者Ｏは、本体１２０を把持して回転体１７及び１８を被施術者Ｐの肌に接触させ、回転体１７及び１８によるマッサージと共に、正パルスモードまたは負パルスモードを実施する。このようにして施術を行うことにより、給電装置３３、主電極１７０及び１８０、被施術者Ｐの肌、補助電極１２６ｂ及びケーブル１２６ｃを含む閉回路を形成することができ、結果として被施術者Ｐの肌にイオン導入電流またはイオン導出電流を流すことができる。【０１１４】
その他、本例の美容器具１００においても、実施例１において４つの回転体１７〜２０が備えられることによる効果を除いて、実施例１の場合と同等の作用効果を奏する。【０１１５】
なお、実施例１の美容器具１では４つの主電極１７０〜２００を備えることとし、実施例４の美容器具１００では２つの主電極１７０、１８０を備えることとしたが、これらに限らず、３つ又は５つ以上の電極を備えていてもよい。また、水没状態における制御態様を、実施例１と同様ではなく、実施例２と同様にすることも勿論可能である。【０１１６】
また、実施例１、実施例２及び実施例４においては、電流検出部３４により、肌に微弱電流が流れているか否か、及び、肌に流れている微弱電流の大きさを検出する機能を有する美容器具１、１００の例を示したが、これらの機能は必須ではない。これらの機能を有さない美容器具の構成の一例としては、給電装置３３と制御装置３５との間の配線３４１を設けず、給電装置３３と電池３１の負極３１４とを接続する構成等が考えられる。【０１１７】
なお、上述した美容器具１に設けられた回転体１７〜２０は、この部分のみを美容器具用回転体装置として、分離して供給することが可能である。この場合においては、当該美容器具用回転体装置を利用することにより、マッサージ効果に優れた美容器具を容易に提供することができる。
この美容器具用回転体装置を以下に開示する。
（１）  球状、楕円球状、又はこれらを組み合わせた形状からなるとともに、支持軸に回転可能に保持されるように構成されている回転体を備え、
上記回転体の表面には、上記支持軸の軸線に対して傾斜した傾斜軸線に垂直な複数の仮想面による各断面の輪郭に相当する断面輪郭線が形成されていることを特徴とする美容器具用回転体装置。
（２）  上記回転体の表面には環状に形成された複数の帯状面が上記傾斜軸線の軸線方向に配列しているとともに、上記断面輪郭線は互いに隣接する上記帯状面における境界線として視認可能に形成されていることを特徴とする（１）に記載の美容器具用回転体装置。【０１１８】
上記（１）に記載の美容器具用回転体装置によれば、回転体を肌に当接させた状態で、回転体をスムーズに回転させることができ、使用感に優れる。また、複数の美容器具用回転体装置を組み合わせて使用した場合には、一対の美容器具用回転体装置間において肌の摘み上げ効果や、揉みほぐし効果を奏することができ、マッサージ効果を一層向上できる。（１）において、球状及び楕円球状とは、厳密な球状及び楕円球状に限らず、概略して球状及び楕円球状の認められる形状や、その表面に若干の凹凸を有する形状などの略球状を含むものとする。【０１１９】
また、（１）に記載の上記美容器具用回転体装置を肌に当接させて回転させると、軸線に対する断面輪郭線が当該回転に応じて変化するように観察されるため、美容器具用回転体装置が回転していることを視認しやすくなる。【０１２０】
上記（２）に記載の美容器具用回転体装置によれば、複数の帯状面が境界線としての断面輪郭線が回転体の回転角度に応じて周期的に変化して観察されるため、回転体が回転していることを容易に視認できる。さらに、複数の帯状面が傾斜軸線の軸線方向に配列していることから、回転体の回転に応じて帯状面の向きが周期的に変化するため、複数の美容器具用回転体装置を組み合わせて使用した場合には、一対の回転体の間における肌の摘み上げ効果や揉みほぐし効果に強弱が付与されることとなる。その結果、マッサージ効果を一層向上できるとともに、使用者に肌の摘み上げ効果や揉みほぐし効果を効果的に認識させることができ、優れた使用感を得ることができる。【０１２１】
上記環状に形成された帯状面は、傾斜軸線の軸線方向に隣接する他の帯状面との境界線が視認しやすいように、当該帯状面に隣接する他の帯状面と異なる形状であることが好ましい。例えば、傾斜軸線を含む断面における当該帯状面及びこれに隣接する他の帯状面の形状を直線状とするとともに、傾斜軸線に対する両者の傾斜角度を異ならせるようにすることができる。また、傾斜軸線を含む断面における当該帯状面の形状を直線状にするとともに、これに隣接する他の帯状面の形状を回転体の外側に膨れた湾曲形状又は回転体の内側に窪んだ湾曲形状とすることができる。また、傾斜軸線を含む断面における当該帯状面及びこれに隣接する他の帯状面の形状を回転体の内側に窪んだ湾曲形状とすることができる。これらの場合には、当該帯状面とこれに隣接する他の帯状面の境界線（断面輪郭線）を明確に線状に形成することができる。例えば、帯状面及び断面輪郭線は、図１２（ａ）〜図１２（ｄ）を参照して上述したように、形成することができる。
【図１】
2016068199.tif 000003
【図２】
2016068199.tif 000004
【図３】
2016068199.tif 000005
【図４】
2016068199.tif 000006
【図５】
2016068199.tif 000007
【図６】
2016068199.tif 000008
【図７】
2016068199.tif 000009
【図８】
2016068199.tif 000010
【図９】
2016068199.tif 000011
【図１０】
2016068199.tif 000012
【図１１】
2016068199.tif 000013
【図１２】
2016068199.tif 000014
【図１３】
2016068199.tif 000015
【図１４】
2016068199.tif 000016
【図１５】
2016068199.tif 000017
【図１６】
2016068199.tif 000018
【図１７】
2016068199.tif 000019
【図１８】
2016068199.tif 000020
【図１９】
2016068199.tif 000021
【図２０】
2016068199.tif 000022
【国際調査報告】
2016068199.tif 000023
2016068199.tif 000024